Podtech/llm-jp-corpus-v4-ja_patent huggingface dataset:
(57)【要約】【課題】本願発明は、壁面に設置し、剪定などの手入れが容易な壁面緑化方法の提案にある。【解決手段】本発明は、建物の壁面を緑化する壁面緑化方法において、建物内と壁面とをつなぐ透孔と、建物内に設けた隔室と、隔室と透孔を結ぶ連結部とからなり、隔室内には植物育成用の育成部が設けられ、隔室には建物内からの出入口が設けられ、前記育成部で育成した植物を、前記連結部と透孔を介して建物外に誘導する壁面緑化方法である。壁面緑化でありながら、建物内部で植物の世話が可能となるようにした。【選択図】図1
2009027943.tif 000002
【特許請求の範囲】
【請求項１】
建物の壁面を緑化する壁面緑化方法において、建物内と壁面とをつなぐ透孔と、建物内に設けた隔室と、隔室と透孔を結ぶ連結部とからなり、隔室内には植物育成用の育成部が設けられ、隔室には建物内からの出入口が設けられ、前記育成部で育成した植物を、前記連結部と透孔を介して建物外に誘導することを特徴とする壁面緑化方法。
【発明の詳細な説明】
【技術分野】
【０００１】
本発明は、壁面特に建物の壁面を緑化するための壁面緑化技術に属する。
【背景技術】
【０００２】
壁面を緑化した壁面緑化物は、フェンスに絡ませたつた類などが知られている。特許公開2002-327440、特許公開2002-330631には、図２に示したように、植物を根付かせた人工の緑化盤を壁に垂直に懸架したもの、垂直に懸架した繊維マットに植物を育成させあるいは植物の茎や枝を格子に結束したものが開示されている。その他、棚に並べた植木箱等あるいは多孔質の壁にこけ、シダ類を育成したものが知られている。
【０００３】
これら壁面緑化物は、足場の問題などで水遣り、施肥など手入れが極めて困難であった。
【０００４】
【特許文献１】特許公開2002-327440
【特許文献２】特許公開2002-330631
【発明の開示】
【発明が解決しようとする課題】
【０００５】
本願発明は、壁面に設置し、水遣り、施肥などの手入れが容易な壁面緑化方法の提案にある。
【課題を解決するための手段】
【０００６】
本発明は、建物の壁面を緑化する壁面緑化方法において、建物内と壁面とをつなぐ透孔と、建物内に設けた隔室と、隔室と透孔を結ぶ連結部とからなり、隔室内には植物育成用の育成部が設けられ、隔室には建物内からの出入口が設けられ、前記育成部で育成した植物を、前記連結部と透孔を介して建物外に誘導する壁面緑化方法である。壁面緑化用の植物の水遣り、施肥を建物内で実施できるよう建物内に隔室を設け、隔室内の植物を建物の外に誘導できるようにした。
【発明の効果】
【０００７】
建物内に隔室を設け、隔室と建物外をつなぎ、建物内部の隔室内で植物を育て、植物を建物の壁面に設けた透孔より建物外に誘導できるようにしたため、建物内部で水遣り、施肥ができる。
【発明を実施するための最良の形態】
【０００８】
以下本発明を図によって、より詳細に説明する。
図１は、本発明である壁面緑化方法の概念図である。
図に示すように、建物内部に隔室を設け、隔室内で育てた植物を建物外に誘導して壁面を緑化するものである。
建物の壁面には透孔が設けられ、透孔と隔室は連結部で連結されている。隔室内には植物の育成部が設けられ、育成部で育てられた植物は連結部、透孔を介して建物外の壁面へと誘導される。隔室には建物内部から隔室内に入る出入口が設けられ、必要に応じて植物に水遣り、施肥、あるいは建物外への誘導がなされる。
【０００９】
隔室内の育成部は床面に敷詰めた土壌あるいは隔室内に設けられたプランター内の土壌であり、植物が根を張れ、適度な水分・空気・肥料を保持できるものであればよい。隔室に設けた出入口も建物内部から人の出入りを許すもの、あるいは人の手が入る狭いものであってもよい。育成部で育てる植物の種類・量に応じて決めることができる。
【００１０】
透孔と連結部はその断面積の面積が同一である必要はなく、つる性の植物を利用するような場合は、束ねて透孔より建物外に誘導してもよい。
透孔・連結部・隔室は隔室内への出入口を除き建物内部とは隔離されていることが好ましい。
透孔もその大きさに特に制限はないが、建物の強度を損なわない範囲で適宜決めることができる。
【００１１】
本方法が適用される壁面は、壁面あるいはガラス面いずれであっても使用できる。
【図面の簡単な説明】
【００１２】
【図１】は、本発明の壁面緑化方法を示す概念図である。
【図２】は、従来の壁面緑化方法を示す概念図である。
【符号の説明】
【００１３】
１  透孔
２  連結部
３  隔室
４  育成部
５  壁面
【図１】
2009027943.tif 000003
【図２】
2009027943.tif 000004
(57)【要約】【課題】従来の実施の形態に関わる圧電素体について、分極するとき近接する部分の電極からスパークが生じ圧電素体に亀裂が発生する問題がある。このため分極時の歩留まりが下がったり印加電圧を下げ分極時間が長くなるため生産性が下がるためコストを上がる。更にスパークを抑えるため電極間の距離をあける事が必要で性能を下げてしまっている。【解決手段】電極が近接する部分の形状を丸みをもたせた平行なギャップを設ける事で分極時の先端放電現象を抑え、スパークしにくくし圧電素体に亀裂が発生することを防止する。【選択図】        図１
2009027284.tif 000002
【特許請求の範囲】
【請求項１】
近接する電極を丸みをもたせた平行なギャップを設けた形状にして分極性を向上させたことを特徴とする圧電素体
【発明の詳細な説明】
【技術分野】
【０００１】
片面または両面に電極を設けた圧電体に関するものであり、圧電式振動子、超音波探触子や超音波センサ等に使用される圧電素体に関するものである。
【背景技術】
【０００２】
従来の実施の形態に関わる圧電素体において、片面の電極を側面や内部を経てもう一方の電極に折り返して設置し、これらに高電圧を印加して分極が施されている。この圧電素体に電気信号を加える事で電歪が発生し機械的応力が発生しこれを用いて超音波探触子や超音波センサ等に使用されている。超音波探触子や超音波センサ等に使用される場合、貼り合わせを行っても片側から半田付け等により電気接続をとれるという利点があるため折り返し電極の圧電素体が使用される。
図４は、従来の実施の形態に関わる圧電素体の電極の形状例を示す。図４において圧電セラミック１からなるに銀等からなる電極２、そのもう一方の面の電極３、電極４，また側面に電極５が焼き付け等により設けられている。電極３の面に設けられた電極４は側面の電極５により電極２と電気的に接続されている。電極３は電極２、電極４、電極５と絶縁状態にある。圧電素体の分極のため絶縁油等に浸漬した状態で電極３と電極２、電極４、電極５に直流の高電圧を印加するが先端放電現象が起こりやすい６の角部分よりスパークし圧電素体に亀裂が発生する問題がある。
【特許文献１】特開平06-085345
【非特許文献１】一ノ瀬 昇  氏  「圧電セラミックス新技術」  日本電子材料工業会  １９９１年
【発明の開示】
【発明が解決しようとする課題】
【０００３】
分極するときスパークが生じ圧電素体に亀裂が発生する問題がある。またスパーク対策の為、電極間の距離をあけると圧電素体としての有効面積が小さくなり特性が下がってしまう。
【課題を解決するための手段】
【０００４】
近接する電極形状を丸みをもたせた平行なギャップとし先端放電現象を発生しにくくしてスパークを抑える。
【発明の効果】
【０００５】
分極時のスパークが発生しにくくなるため歩留まりが改善できる他、高い電圧が印加できるようになるため短時間で分極することができる。
【発明を実施するための最良の形態】
【０００６】
本発明は、圧電素体の生産時の歩留まりがあがり、短時間で分極できるため生産性を高め、コストを下げる事ができる。
【実施例】
【０００７】
図１は本発明の実施の形態に関わる圧電素体の電極の形状例を示す。図１において圧電セラミック１からなる円盤状板に銀等からなる電極２、そのもう一方の面の電極３、電極４，また側面に電極５が焼き付け等により設けられている。電極３の面に設けられた電極４は側面の電極５により電極２と電気的に接続されている。電極３は電極２、電極４、電極５と絶縁状態にある。電極３と電極４に近接する部分の形状を丸みをもたせた平行なギャップを設け分極時のスパークが発生し圧電素体に亀裂が発生することを防止する。
図２は本発明の別の実施の形態に関わる圧電素体の電極の形状例を示す。図２において圧電セラミック１からなる円盤状板に銀等からなる電極２、そのもう一方の面の電極３、電極４，また側面に電極５が焼き付け等により設けられている。電極３の面に設けられた電極４は側面の電極５により電極２と電気的に接続されている。電極３は電極２、電極４、電極５と絶縁状態にある。電極３と電極４が近接する部分の形状を丸みをもたせた平行なギャップを設け分極時のスパークが発生し圧電素体に亀裂が発生することを防止する。
図３は本発明の別の実施の形態に関わる圧電素体の電極の形状例を示す。図３において圧電セラミック１からなる円盤状板に銀等からなる電極２、そのもう一方の面の電極３、電極４，また側面に電極５が焼き付け等により設けられている。電極３の面に設けられた電極４は側面の電極５により電極２と電気的に接続されている。このとき電極５は側面全周設ける場合もある。電極３は電極２、電極４、電極５と絶縁状態にある。電極３と電極４が近接する部分の形状を丸みをもたせた平行なギャップを設け分極時のスパークが発生し圧電素体に亀裂が発生することを防止する。
【産業上の利用可能性】
【０００８】
本発明は、圧電式振動子、超音波探触子や超音波センサ等に使用される圧電素体に適用できる。
【図面の簡単な説明】
【０００９】
【図１】本発明の実施の形態に関わる圧電素体の上面図、側面図、下面図
【図２】本発明の別の実施の形態に関わる圧電素体の上面図、側面図、下面図
【図３】本発明の別の実施の形態に関わる圧電素体の上面図、側面図、下面図
【図４】従来の実施の形態に関わる圧電素体の上面図、側面図、下面図
【符号の説明】
【００１０】
１    圧電セラミック
２    電極
３    電極
４    電極
５    電極
６    先端放電現象が発生しやすい場所
【図１】
2009027284.tif 000003
【図２】
2009027284.tif 000004
【図３】
2009027284.tif 000005
【図４】
2009027284.tif 000006
(57)【要約】【課題】          従来、新聞やポスターの広告から音声や動画を見たり聴いたりすること。【解決手段】      名刺、新聞広告やポスターなどの紙媒体にQRコードを設け、携帯電話などで音声や動画ファイルを読み込めるようにすること。【選択図】        図1
2009027577.tif 000002
【特許請求の範囲】
【請求項１】
活字媒体の先ず字や絵を見、次に前記活字媒体に設けたQRコードを携帯電話等のバーコードリーダで読みとり、ホームページにつなぎ、インターネットによるiモード通信により活字媒体なのに動画と音声を携帯電話などで見て聴ける事を特徴とする動画活字媒体。
【発明の詳細な説明】
【技術分野】
【０００１】
本発明は活字媒体に関する。
【背景技術】
【０００２】
従来、名刺、新聞、はがきやポスターの広告から音声や動画が見たり聴いたり出来なかった。
【発明の開示】
【発明が解決しようとする課題】
【０００３】
名刺、はがき、新聞、ポスターから音声や動画を見たり聴いたりすること。
【課題を解決するための手段】
【０００４】
名刺、はがき、新聞、ポスターなどの媒体にバーコードを設け、携帯電話などで活字のみならず音声や動画ファイルを読み込めるようにすること。
【発明の効果】
【０００５】
本発明は通常の紙媒体では成しえなかった音声やカラー動画を見たり聞くことが出来る画期的な発明である。
【発明の実施するための最良の形態】
【０００６】
はがき、名刺、新聞、ポスターの広告などの媒体にバーコードを設け、携帯電話などで音声や動画ファイルを取り出すようにすること。
【実施例１】
【０００７】
図１は本発明実施例を示し、名刺１にQRコード２を印刷し、携帯電話などの端末を使いQRコード2を読み取り、コードの中に音声ファイルや動画ファイルなどを読み取れるウェブページ（URL:UniformResource Locater）などの内容を入れる。図２は新聞広告3やポスターなどにQRコード2を設けた実施例である。
【０００８】この発明のシステムは、ユーザ側のはがき、名刺、新聞、ポスターの広告などの媒体と映像供給側サーバコンピュータとがインターネットを経由して接続された音声動画コンテンツ供給システムであって図３は本発明のフローチャートであり、以下はdocomo（登録商標）の携帯端末を使って音声/動画ファイルを認識する本発明実施例である。1：インターフェイスの「カメラ」を選択２：「文字」を選択３：「バーコードリーダモード」を選択４：「新規よみとり」を選択。３：名刺、はがき、新聞の紙媒体やLCD(Liquid Crystal Display)などに描かれたバーコードを読み取る。４：携帯電話機が前記バーコードを文字列データに変換する。５：文字列データは「http」を含むことが認識され、動画ファイルダウンロードサイトのアドレスの「（公序良俗違反につき、不掲載）」が表示される。６：上記サイトにあるＨＴＭＬ（Hyper Text Markup Language）ファイルにアクセスするため、「インターネット」モードのブラウザーに切り替える。７：「iモード（登録商標）通信」により、インターネットに繋ぐ。８：所定サイトに埋め込まれたリンクにより音声画像URLより、動画と音声ファイル(3GP、3G2、AMCなど)をダウンロードする事が出来る。以上の手順により、名刺、はがき、新聞の紙媒体やLCDなどに描かれたバーコードにより、動画や音声ファイル(3GP、3G2、AMCなど)を前記活字媒体よりQRバーコード読み取り機能のついたカメラ付き携帯端末などを経て入手できる。  本発明は名刺、新聞広告、チラシ、ポスター、はがきやそのほかの紙媒体などにQRコード（バーコード）を設けた場合以外にLCDなどの画面に設けるなど種々の変形が考えられるが、これらの場合も本発明に含まれるものである。
【産業上の利用可能性】
【０００９】
本発明は手軽に名刺などを人に手渡すだけでカラー動画や音声を見てもらえるので、新たな宣伝媒体となる。紙の白黒印刷のみでカラーや動画や音声も出せる。又、紙の活字なのに印刷されているより大量の活字を見せられる。
【図面の簡単な説明】
【００１０】
【図１】本発明実施例の正面図（名刺）
【図２】本発明実施例の正面図（新聞などの広告）
【図３】本発明実施例のフローチャート
【符号の説明】
【００１１】
1    名刺
2    QRコード
3    新聞広告
【図１】
2009027577.tif 000003
【図２】
2009027577.tif 000004
【図３】
2009027577.tif 000005
(57)【要約】【課題】樽中の液体をサンプリングする作業を容易化することを目的とする。【解決手段】サンプリング装置１００は、樽１０中の液体をサンプリングするために使用される。サンプリング装置１００は、樽１０の口部１２に取り付けられる排出管２０と、排出管２０から排出される液体をサンプリングするためのサンプリング容器３０を保持する保持部５０と、排出管２０を通して液体が排出されるように樽１０を回動させるための回動機構４０とを備える。保持部５０は、樽１０の回動に関らずサンプリング容器３０の姿勢を維持するように排出管２０から吊り下げられている。【選択図】図２
2009042116.tif 000002
【特許請求の範囲】
【請求項１】
樽中の液体をサンプリングするためのサンプリング装置であって、
前記樽の口部に取り付けられる排出管と、
前記排出管から排出される液体をサンプリングするためのサンプリング容器を保持する保持部と、
前記排出管を通して液体が排出されるように前記樽を回動させるための回動機構とを備え、
前記保持部は、前記樽の回動に関らず前記サンプリング容器の姿勢を維持するように前記排出管から吊り下げられている、
ことを特徴とするサンプリング装置。
【発明の詳細な説明】
【技術分野】
【０００１】
本発明は、サンプリング装置に係り、特に、樽中の液体をサンプリングするためのサンプリング装置に関する。
【背景技術】
【０００２】
ビールや発泡酒等の飲料を出荷するために樽が使用される。樽の安全性を保証するために、樽は様々な検査を受ける。例えば、樽の内部に微生物が存在しないことを保証するための検査では、無菌の水を樽に注入し適当時間が経過した後に樽から水を排出して、その水がサンプリングされる。その後、その水の中に微生物が存在するか否かが検査される。樽から排出される水のサンプリングは、典型的には、樽の口部が下方に向くように樽を回動させて、口部またはそれに取り付けられた排出管から排出される水をシャーレ等のサンプリング容器で受けることによって行われうる。
【特許文献１】特開２００６−６４６０３号公報
【発明の開示】
【発明が解決しようとする課題】
【０００３】
大きな樽について上記のような検査を行う場合、例えば、一人の作業者が樽を操作し他の作業者がその樽から排出される液体をサンプリング容器でサンプリングするというように、二人以上の作業者で作業を行う必要があり、効率が悪い。
【０００４】
本発明は、上記の課題認識に基づいてなされたものであり、例えば、樽中の液体をサンプリングする作業を容易化することを目的とする。
【課題を解決するための手段】
【０００５】
本発明のサンプリング装置は、樽中の液体をサンプリングするために使用される。前記サンプリング装置は、前記樽の口部に取り付けられる排出管と、前記排出管から排出される液体をサンプリングするためのサンプリング容器を保持する保持部と、前記排出管を通して液体が排出されるように前記樽を回動させるための回動機構とを備える。前記保持部は、前記樽の回動に関らず前記サンプリング容器の姿勢を維持するように前記排出管から吊り下げられている。
【発明の効果】
【０００６】
本発明のよれば、例えば、樽中の液体をサンプリングする作業が容易になる。
【発明を実施するための最良の形態】
【０００７】
以下、添付図面を参照しながら本発明の好適な実施形態を説明する。
【０００８】
図１および図２は、本発明の好適な実施形態のサンプリング装置の概略構成を示す側面図である。図３は、図２に示す状態における保持部およびその周辺を示す側面図である。
【０００９】
本発明の好適な実施形態のサンプリング装置１００は、樽１０中の液体をサンプリングするために使用される。樽１０は、例えば、ビールや発泡酒等の飲料を出荷するために使用される容器である。
【００１０】
サンプリング装置１００は、例えば、樽１０の内部に微生物が存在しないことを保証するための検査において使用されうる。この検査では、無菌の水（液体）を樽１０に注入し適当時間が経過した後に樽１０から水を排出してサンプリング装置１００によってサンプリングする。このサンプリングは、樽１０中の水をサンプリング容器３０に注ぐことによって行われる。サンプリングされた水は、その中に微生物が存在するか否かについて検される。
【００１１】
サンプリング装置１００は、他の検査のために使用されてもよいし、製品としてのビール等の飲料自体をサンプリングするために使用されてもよい。
【００１２】
サンプリング装置１００は、樽１０の口部１２に取り付けられる排出管２０と、排出管２０から排出される液体７０をサンプリングするためのサンプリング容器３０を保持する保持部５０と、排出管２０を通して液体７０が排出されるように樽１０を回動させるための回動機構４０とを備える。保持部５０は、樽１０の回動に関らずサンプリング容器３０の姿勢を維持するように排出管２０の出口近傍の部分から連結部材５２によって吊り下げられている。
【００１３】
この実施形態の回動機構４０は、樽１０を支持する支持部材４４と、支持部材４４を回動可能に軸支する軸受け４２とを含んで構成される。軸受け４２は、ベース部材６０によって支持される。支持部材４４は、樽１０の上面（口部１２が設けられている側の端面）を支持する第１支持部４４ａと、樽１０の胴部分を支持する第２支持部４４ｂとを含む。この実施形態では、回動機構４０は、作業者が手で樽１０を回動させる作業を補助するように構成されている。しかしながら、回動機構４０は、樽１０を自動で回動させるように構成されてもよい。
【００１４】
保持部５０は、その自重およびサンプリング容器３０の自重によって姿勢を維持する。保持部５０は、サンプリング容器３０の姿勢をより確実に維持するために錘５６を含むことが好ましい。ここで、姿勢を維持するとは、サンプリング容器３０を支持する支持面５０ｓがほぼ水平な状態を維持することを意味する。
【００１５】
このように樽１０の回動に関らず保持部５０がサンプリング容器３０の姿勢を維持することによって、排出管２０から排出される液体７０がサンプリング容器３０に入らずに外側にこぼれることが防止され、また、サンプリング容器３０に注がれた液体７０がサンプリング容器３０からこぼれることが防止される。
【図面の簡単な説明】
【００１６】
【図１】本発明の好適な実施形態のサンプリング装置の概略構成を示す側面図である。
【図２】本発明の好適な実施形態のサンプリング装置の概略構成を示す側面図である。
【図３】図２に示す状態における保持部およびその周辺を示す側面図である。
【符号の説明】
【００１７】
１０  樽
１２  口部
２０  排出管
３０  サンプリング容器
４０  回動機構
４２  軸受け
４４  支持部材
４４ａ  第１支持部
４４ｂ  第２支持部
５０  保持部
５０ｓ  支持面
５２  連結部材
６０  ベース部材
７０  液体
１００  サンプリング装置
【図１】
2009042116.tif 000003
【図２】
2009042116.tif 000004
【図３】
2009042116.tif 000005
(57)【要約】【課題】隣人や隣接する店舗との騒音トラブルを解決するため、騒音測定装置を家庭に設置、家庭用騒音測定器を提供する。【解決手段】住居、店舗に騒音測定器を取り付け、表示パネルで騒音が数値として確認できることを特徴とする。【選択図】図１
2009042199.tif 000002
【特許請求の範囲】
【請求項１】
住居、店舗に騒音測定器を設け、隣人、隣接した店舗の騒音を測る家庭用騒音測定器。
【発明の詳細な説明】
【技術分野】
【０００１】  この発明は、騒音測定器を住居、店舗に取り付け、隣人、隣接する店舗、自室の騒音を測定するものである。
【背景技術】
【０００２】  従来、家庭、店舗の騒音問題は、マナーとしてくくられ、具体的に数値化することはしなかった。
【発明の開示】
【発明が解決しようとする課題】
【０００３】  これは、次のような欠点があった。
（イ）本来、家庭とはゆっくりくつろげる場所である。音楽を聴いたり、勉強をしたり、睡眠したりすることは家の主の自由である。しかし、隣人の騒音というのはとても気になるものである。
そうかと言って、隣人を訪ね、うるさいから静かにしてくれとは怖くていえないし、聞きたくない音を消すことはできない。実際には、となりの部屋（家）に響いている自分で出している音を聞くことのできない状況では、自分勝手に音楽を聞く、大きな声でしゃべるというような事はできないし、されたら、騒音によって鬱病になってしまうこともある。最近では、隣人トラブルは必ずと言っていいほどすべての人が直面する自分だけでは解決できない問題であり、その問題を放置したために、殺人事件や悪質な嫌がらせを受けることもある。家とはほぼすべての人が人生で一番長い時間付き合う空間なのに、それによってストレスを感じるのでは鬱病が発祥する可能性があることは否定できない。
（ロ）自分も実際に体験した問題で、アパートで普通に生活していたつもりでも、ある日、隣人が壁を叩いてくるということがあった。隣人の音楽の騒音には、引っ越してきたときから悩まされていたが、誰にも相談できず、ただ我慢していたうちの出来事だったので、このことは多大なストレスにつながり、今までの生活は一変、音楽は聴けず、小さな声でしゃべる毎日である。そうされた経験があるせいか、隣の騒音が気になってしまい、今では隣の目覚まし時計の音で起きる始末である。
本発明は、このような問題をなくすためになされたものである。
【課題を解決するための手段】
【０００４】住居、店舗に騒音測定器を設置し、隣の騒音を自室の表示パネルにて数値で測定できるようにするものである。
【発明の効果】
【０００５】（イ）隣の騒音が数値となって現れるため、隣の騒音が法で定められた騒音を超えた場合、管理人や、場合によっては警察、裁判所などに相談、告発が出来る。
（ロ）隣の騒音が基準値を超えていないならちょっとくらいうるさくても良いかと、気にならなくてすむ。
（ハ）逆の立場に言えば、その騒音以上の音は出しても良いということなので、隣人に気を使わず、音楽を聞いたり話が出来たりできる。
【発明を実施するための最良の形態】
【０００６】以下、本発明を実施するための最良の形態について説明する。
（イ）壁や天井に取り付けるなどの大掛かりな工事が必要となるため、この発明はこれから建築されるアパート、マンション、店舗に向く。しかし、既存する建物には自室の天井、壁、卓上に測定結果表示パネルを設置、壁に騒音測定器を取り付け、騒音を測定する。
（ロ）しかしこの発明は、いわばマナーの悪い人への手段なので、取り付けたくないというところも当然出てくる。そのため取り付けを義務化する等、法改正の問題が残る。
【図面の簡単な説明】
【０００７】
【図１】  本発明の正面図である。
【符号の説明】
【０００８】１    騒音測定器本体
２    騒音測定マイク
３    自室騒音表示パネル
４    自室騒音表示
５    隣家騒音表示
６    騒音オーバー警告灯
７    騒音注意
８    隣家騒音オーバー警告灯
９    隣家騒音注意
１０  マイク
１１  マイク用当て板
【図１】
2009042199.tif 000003
(57)【要約】【課題】  使用済みのクロマトグラフィーのカラムに充てんされた充填材を、作業性良く抜き取ることができるクロマトグラフィー充填材抜取具を提供する。【解決手段】  先端にらせん状の鈎が設けられた棒状体を、使用済みのクロマトグラフィーのカラムの端部開口に挿入し、棒状体の該らせん状鈎部をカラム内の綿状の栓に突き刺すことによって、該栓を容易に抜き出すことができる。そして、クロマトグラフィーの充填材を抜き取り、カラム内を洗浄し、新しい充填材を充填することができる。【選択図】図１
2009042084.tif 000002
【特許請求の範囲】
【請求項１】
先端にらせん状の鈎が設けられた棒状体からなるクロマトグラフィー充填材抜取具。
【発明の詳細な説明】
【技術分野】
【０００１】
本発明は、クロマトグラフィー充填材抜取具に関する。さらに詳細には、使用済みのクロマトグラフィーカラムに充てんされた充填材を作業性良く抜き取ることができるクロマトグラフィー充填材抜取具に関する。
【背景技術】
【０００２】
分離分析法の一種としてのクロマトグラフィーが知られているが、このクロマトグラフィーにおいて高い理論段数を実現するためには、カラムに充填される充填剤を均一且つ圧密化された状態とする必要がある。
充填剤をカラムに充填する方法は、特許文献１等に記載されている。そして、充填材がカラムの端からこぼれ落ちないように、ガラスウールなどの綿で栓をしている。
使用済みのカラムは、再利用のために充填材の詰め直しが行われる。ところが、栓として用いた綿が長期間の使用によって劣化し、カラム内から抜き出すことができないことがあり、そのために作業が滞り、作業効率を低下させることがあった。
【特許文献１】特開２００５−３２１３０２号公報
【発明の開示】
【発明が解決しようとする課題】
【０００３】
本発明の目的は、使用済みのクロマトグラフィーのカラムに充てんされた充填材を作業性良く抜き取ることができるクロマトグラフィー充填材抜取具を提供することにある。
【課題を解決するための手段】
【０００４】
本発明者は、前記目的を達成するために鋭意検討した結果、先端にらせん状の鈎が設けられた棒状体を使用済みのクロマトグラフィーのカラムの端部開口に挿入し、棒状体の該らせん状鈎部を螺旋の回転方向に回してカラム内の綿状の栓に突き刺すことによって、該栓を容易に抜き出すことができることを見出した。本発明はこの知見に基づいてさらに検討した結果完成したものである。
【発明の効果】
【０００５】
本発明のクロマトグラフィー充填材抜取具を使用済みのクロマトグラフィーのカラムの端部開口に挿入し、棒状体の該らせん状鈎部を螺旋の回転方向に回してカラム内の綿状の栓に突き刺すことによって、該栓を容易に抜き出すことができる。そして、クロマトグラフィーの充填材を抜き取り、必要に応じてカラム内を洗浄し、新しい充填材を充填し直すことができる。
【発明を実施するための最良の形態】
【０００６】
本発明のクロマトグラフィー充填材抜取具を、図面を参照しながら説明する。なお、本発明は図面に示したものに限定されない。
【０００７】
本発明のクロマトグラフィー充填材抜取具は、先端にらせん状の鈎が設けられた棒状体からなるものである。
図１は、本発明のクロマトグラフィー充填材抜取具の一実施態様例を示す概念図である。
本発明のクロマトグラフィー充填材抜取具は、シャンク２及び螺旋鈎部３を含む棒状の器具である。
螺旋鈎部３は、最先端が尖っており、全体がスクリューのように螺旋状に捩れた構造をしている。図２（ａ）のようにクロマトグラフィー充填材抜取具を手元側のシャンクを軸にして回転させながら、クロマトグラフィーのカラム９の端部開口に挿入すると、前記螺旋捩れ構造によって、螺旋鉤部がカラム内の綿状の栓にねじ込まれ、綿栓に突き刺されやすくなっている。螺旋のピッチは、特に限定されず、好ましくは１ｍｍ〜５ｍｍである。
【０００８】
図１の螺旋鉤部３は、外観が円錐状をなしている。そして円錐の裏側４が凹んでいて、円錐の底辺が鈎状（返し）になっているので、クロマトグラフィー充填材抜取具をカラム内の綿状の栓に突き刺した後、図２（ｂ）のようにクロマトグラフィー充填材抜取具１を引き抜いても、鈎状部が綿に絡まり栓８から螺旋鈎部が抜けないようになっている。
螺旋鉤部の太さは、クロマトグラフィーのカラムに挿入できるものであれば特に制限されず、好ましくは１〜４ｍｍである。また、本発明のクロマトグラフィー充填材抜取具の長さも特に制限されず、扱い易さの観点から１０〜３０ｃｍ程度が好ましい。
【図面の簡単な説明】
【０００９】
【図１】本発明のクロマトグラフィー充填材抜取具の一実施態様例を示す概念図
【図２】本発明のクロマトグラフィー充填材抜取具の使い方を示す概念図
【符号の説明】
【００１０】
１：クロマトグラフィー充填材抜取具
２：シャンク
３：螺旋鈎部
８：綿栓
９：クロマトグラフィーのカラム
【図１】
2009042084.tif 000003
【図２】
2009042084.tif 000004
(57)【要約】      （修正有）【課題】表示部に示した内容を他の運転者に視認し易く表示して、トラブルなく駐車場を使用することのできる身体障害者用駐車間隔表示体を提供する。【解決手段】自動車の窓ガラスに着脱自在に取り付ける吸盤２と、表示部３ｂを設けたアーム本体３と、アーム本体を所要の位置に固定する固定具４とからなる。【選択図】図１
2009042708.tif 000002
【特許請求の範囲】
【請求項１】
自動車の窓ガラスに着脱自在に取り付ける吸盤と、表示部を設けたアーム本体と、アーム本体を所要の位置に固定する固定具とからなることを特徴とする身体障害者用駐車間隔表示体。
【請求項２】
固定具が、所要の位置にアーム本体を支持・固定すべく雄ネジ体・雌ネジ体にて構成されていることを特徴とする請求項１記載の身体障害者用駐車間隔表示体。
【請求項３】
盗難防止具を設けてなることを特徴とする請求項１又は２記載の身体障害者用駐車間隔表示体。
【発明の詳細な説明】
【技術分野】
【０００１】  本発明は、身体障害者（車椅子を使用される方）の方が一般の駐車場に駐車したとき、出入するスペースを確保すると共に、隣に駐車させないための身体障害者用駐車間隔表示体に関するものである。
【背景技術】
【０００２】  従来の技術として、略中央でＶ字形に折曲される表示部と、この表示部のＶ字部と相対向する位置に設けた取付け片に跨って固着される可撓性のマグネットシールと、このマグネットシールの表示部側の表面に設けたリングとからなることを特徴とする身体障害者用駐車間確保表示用具がある。（特許文献１参照）【０００３】  また、別の従来技術として、伝言記入面を形成した伝言ボードを、自動車のウインドガラスに止着する構造とした自動車駐車用伝言ボードがある。（特許文献２参照）
【特許文献１】  特開平１１−２２７５３９号
【特許文献２】  実用新案登録第３００８７２４号公報
【発明の開示】
【発明が解決しようとする課題】
【０００４】  上記前者の場合は、マグネットシールにて自動車のボディーに取り付けるものであり、第三者が取り外し、盗難に合う可能性があると共に、ボディーに取り付けるため、運転手の目線より下方に位置し、見えにくいという問題点もある。【０００５】  また、上記後者においては、伝言ボードをウインドガラスに設けてなる形態であり、隣に駐車した後に分かるもので、逆に運転者に不快感を与えるものである。【０００６】  本発明は、このような従来の構成が有していた問題を解決しようとするもので、吸盤とアームと固定具の構成により自動車のウインドウガラスに吸盤を付け、固定具にてアームを水平方向に保持することにより表示部に示した内容を他の運転者に示すことによりトラブルなく駐車場を使用できる身体障害者用駐車間隔表示体を提供することを目的とする。
【課題を解決するための手段】
【０００７】  本発明は、上記目的を達成するために、自動車の窓ガラスに着脱自在に取り付ける吸盤と、表示部を設けたアーム本体と、アーム本体を所要の位置に固定する固定具とからなる。
固定具が、所要の位置にアーム本体を支持・固定すべく雄ネジ体・雌ネジ体にて構成されている。
盗難防止具を設けてなることを特徴とする。
【発明の効果】
【０００８】１）、吸盤とアーム本体と固定具のシンプルな構成により、自動車のウインドウガラスに誰でも簡単に、着脱自在に取り付けることができ、他の運転者の目線に表示部が来ることにより、分かりやすく、トラブルが少ない。
２）、固定具を雄ネジ体・雌ネジ体とにより構成することにより、固定（締め付け）度を調整することができ、ゆるく固定することにより、万が一自動車が接触しても変形することなく、傷を付けることがない。
３）、盗難防止具を設けることにより、吸盤を取り外されても持って帰られることもなく、安全・安心して使用できるものである。
【発明を実施するための最良の形態】
【０００９】  １は、身体障害者用駐車間隔表示体である。
２は、自動車のウインドウガラスに着脱自在に取り付ける吸盤で、上下にツマミ片２ａを設けてなるものである。
３は、軸３ａ（合成樹脂製あるいはアルミパイプ製等）の右端に平板（例えば発泡スチロール製等）状の表示部３ｂ（注意を促す文字）を設けたアーム本体である。
なお、表示部３ｂの両面に文字を表示してもよい。
４は、円柱状に形成し、下部に上記吸盤２に一体的に固設した雌ネジ体４ａを、上部に上記アーム本体３の軸３ａの左端を固着した回転体４ｂを設け、ボルト等による雄ネジ体４ｃにて支持・固定してなる固定具である。
なお、雌ネジ体４ａと回転体４ｂ間にワッシャー（図示せず）を設けてもよい。【００１０】  上記身体障害者用駐車間隔表示体１の使用例について説明する。
身体障害者の方が運転する自動車ＺのウインドウガラスＷＧに吸盤２を吸着させ、アーム本体３を水平方向に突出させる。
つづいて、雄ネジ体４ｃを締め付けて所要の位置に固定する。
この状態で、隣へ駐車しようと近づいたとき、表示部３ｂを見つけ、ここへ駐車すると、車椅子で自動車Ｚへ乗り込むことができないと理解し、他の場所へ移動するよう促すものである。【００１１】  つぎに、第２実施例における身体障害者用駐車間隔表示体について説明する。
身体障害者用駐車間隔表示体２１は、軸２３ａの左端に、先端にアンカーボール５ａ（鉄製あるいはステンレス製等）を設けたワイヤー５ｂの下端を固着してなる盗難防止具５を設けてなるもので、吸盤２を取り外されてもアンカーボール５ａをウインドウガラスＷＧ１の上端に係止しておくことにより盗難されることはない。
なお、アンカーボール５ａは、ドア枠の上端に係止させてもよく、特に限定しない。【００１２】  上記各実施例において、吸盤の形態はレバーを設け、吸盤内を真空にする形態でもよく、本実施例の吸盤２はツマミ片２ａをつまむことにより簡単に取り外せるものである。（手の不自由な方に有効）
また、吸盤・アーム本体・固定具・盗難防止具等の材質は特に限定しないものとし、使用に問題なければよい。
さらに、表示部の表現（文字等）は必要に応じて決めればよい。
さらにまた、表示部を垂れ幕とし、軸に設けてもよい。
【図面の簡単な説明】
【００１３】
【図１】  本発明の第１実施例を示す身体障害者用駐車間隔表示体の正面図。
【図２】  本発明の第１実施例を示す身体障害者用駐車間隔表示体の平面図。
【図３】  本発明の第１実施例を示す身体障害者用駐車間隔表示体の使用状態を示す一部縦断正面図。
【図４】  本発明の第２実施例を示す身体障害者用駐車間隔表示体の使用状態を示す一部縦断正面図。
【符号の説明】
【００１４】１−−−身体障害者用駐車間隔表示体
２−−−吸盤
２ａ−−ツマミ片
３−−−アーム本体
３ａ−−軸
３ｂ−−表示部
４−−−固定具
４ａ−−雌ネジ体
４ｂ−−回転体
４ｃ−−雄ネジ体
５−−−盗難防止具
５ａ−−アンカーボール
５ｂ−−ワイヤー
Ｚ−−−自動車
ＷＧ−−ウインドウガラス
【図１】
2009042708.tif 000003
【図２】
2009042708.tif 000004
【図３】
2009042708.tif 000005
【図４】
2009042708.tif 000006
(57)【要約】      （修正有）【課題】従来のアルミ製の三脚を思い出してほしい。平坦で人出の少ないところであれば自由に設置できるが、狭く人通りがある小道などでの、または少々の斜面のところでの三脚の設置は不自由なものである。カメラ三脚の機能性に着目し、これに取り付けることができる道具で、狭いところ、少々の斜度の地面に三脚を設置し、発明の画板を載せ、画材道具を載せる板を取り付け楽しくスケッチを楽しむことができる。特にカメラ三脚のエレベーター機能、角度調節機能は画板の高さ、角度調節にもってこい機能である。載せる板の止め角棒の高さを変えるようにすれば通常のカメラ三脚ならばどれにも適応できる。絵画作成の楽しみを大きくするものである。【解決手段】梃子の原理を応用して三脚に取り付けることのできる載せる板を作る。【選択図】図１０
2009042706.tif 000002
【特許請求の範囲】
【請求項１】
カメラ用三脚の機能性を利用した画板と画材用具を載せる板
【発明の詳細な説明】
【技術分野】
【０００１】この発明は、カメラ用三脚の頭部の雲台にカメラを載せる代わりに画板を取り付けるようにした装置と、三脚の手前二本脚に絵の具など画材用具を載せる板の発明である。すなわち、カメラ用三脚に、カメラの代わりに画板を載せ、また三脚の前脚に取り付けることのできる画材用具である。
【背景技術】
【０００２】従来の絵画用具の三脚架は、設置する場所が比較的平坦な場所で設置しないと転倒しやすく、また画板の設定角度は自由にはならない。さらに一度設定したときの上下の高さ調節や、描く人へ対する画板の角度調節の自由な調節はできない。特に水彩画の場合、画板の対人物への角度が急な場合、下に水が流れ出すなど使用勝手が悪い。
【発明の開示】
【発明が解決しようとする課題】
【０００３】従来の絵画用具の三脚架は次のような欠点がある。
１、  三脚架の脚をほぼ均等に開く必要があり、地面が比較的平坦である必要がある。斜面などでは転倒し思うところに設置して使用ができない。
２、  一旦セットした三脚架に画板を載せたとき、希望の高さは容易には変えられず、改めてセットをする必要がある。また描く人への画板角度の調節は開脚角度の縮小・拡大で調節しなければできず不便である。
３、  従来の三脚架では、設置場所の限定とか、画板を前面や手前などへの角度調節、左右の角度調節ができない、また手間がかかる。
４、  従来の三脚架には、絵具・筆洗などの道具を載せる場所がない。
５、  本発明は以上の欠点をなくすためになされたものである。
【課題を解決するための手段】
【０００４】１、図１斜視図に示したように、画板１の適当なところにカメラ固定ネジ（雌ネジ）２をはめこむ。このセットされた板をＡとする。
２、カメラ固定ネジ２（雌ネジ）にカメラ固定台４のカメラ固定ネジ３（雄ネジ）を挿入しネジを締めてＡと一体化させる。すなわち画板とカメラ固定台とを一体化させる。すなわちＡとカメラ固定台と一体化したものをＢとする。
３、三脚頭部の雲台５にＢをはめ込み、カメラ三脚の機能を使い自由な高度、左右の角度、前面へまたは後面への角度が調節できる構造となる。
４、絵画用具の絵具、筆洗、筆などをおくことができる載せる板は図９ならびに図１０の斜視図に示した。
５、載せる板は前脚１３と前脚１４の２本の脚を前脚設置枠１０にくぐらせて通す。止め角棒９、１１の前縁と載せる板が前脚設置枠底面の縁で脚と接し、梃子の作用で三脚の適当な高さにとどめることができる。
本発明は以上の構成よりなるカメラ三脚に取り付けることのできるものである。
【発明の効果】
【０００５】従来の三脚のように、画板をただ載せるということからより使いやすい仕方がこの発明で可能となる。平坦な地面から少々の斜面なら、設置ができ、その三脚に載せた画板はカメラ三脚の機能を利用し、左右に、手前・奥に最適な角度に調節し設置することができる。また三脚に取り付けができる載せる板には絵画に必要な道具を載せることができ楽しく絵をかくことができる。この載せる板は梃子の原理で必要な高さで固定でき立っても座ってもその高さを自由に変えることができて使い勝手がいい。
【発明を実施するための最良の形態】
【０００６】図１の本発明の斜視図に示したごとく、適当な大きさの画板１の中心部にカメラ固定ネジ（雄ネジ）３に対応するカメラ固定ネジ（雌ネジ）２を埋め込んだ簡単な構造物で図１の画板と図２のカメラ固定台をネジ３で締め込み一体化したものを図４のカメラ三脚頭部の雲台のカメラ固定台設置部５にはめ込む。そしてカメラ三脚の機能を活用し、絵画作成の作業をすることができる。この三脚の前脚二本に図５の載せる板を図９に示したごとく取り付ける。画板と載せる板を一つの三脚にセットすることで楽しく絵を描く事ができる。この装置は通常の三脚であれば大小の区別なく対応ができる。
図１、図１０の形態を提案する。
【図面の簡単な説明】
【０００７】
【図１】本発明の画板の斜視図
【図２】三脚雲台のカメラ固定台
【図３】図２を再掲
【図４】カメラ三脚雲台
【図５】載せる板  上面図
【図６】載せる板  正面図
【図７】載せる板  背面図
【図８】載せる板  側面図
【図９】載せる板を三脚に取り付けた斜視図
【図１０】載せる板の斜視図
【符号の説明】
【０００８】１、  画板
２、  カメラ固定ネジ（雌ネジ）
３、  カメラ固定ネジ（雄ネジ）
４、  カメラ固定台
５、  カメラ固定台設置部
６、  脚
７、  エレベーター
８、  載せる板
９、  止め角棒
１０、前脚設置枠
１１、止め角棒（９と同じ）
１２、前脚設置枠入口
１３、止め角棒（９または１１の側面図）
【図１】
2009042706.tif 000003
【図２】
2009042706.tif 000004
【図３】
2009042706.tif 000005
【図４】
2009042706.tif 000006
【図５】
2009042706.tif 000007
【図６】
2009042706.tif 000008
【図７】
2009042706.tif 000009
【図８】
2009042706.tif 000010
【図９】
2009042706.tif 000011
【図１０】
2009042706.tif 000012
(57)【要約】【課題】  従来の多孔質型吸音材料の吸音性能を向上させるための手法によれば、材料厚さを厚くしたり、空気層を設けたりすることで、製作者の労力や製作時間が増加し、それによって、製作コストが上昇する。【解決手段】  合成ゴム系樹脂を多孔質型吸音材料の音波入射側表面に、エアスプレー法により塗布する。【選択図】図１
2009042710.tif 000002
【特許請求の範囲】
【請求項１】
合成ゴム系樹脂を多孔質型吸音材料の音波入射側表面に、エアスプレー法により塗布したことを特徴とする吸音材料。
【請求項２】
多孔質型吸音材料の吸音性能を向上させるために、エアスプレー法により合成ゴム系樹脂を材料の音波入射側表面に塗布することを特徴とする吸音材料の製作方法。
【発明の詳細な説明】
【技術分野】
【０００１】  この発明は、多孔質型吸音材料の吸音性能を向上させるための手法に関する。
【背景技術】
【０００２】  従来の多孔質型吸音材料の吸音性能を向上させるための手法は、多孔質型吸音材料の材料厚さを厚くする方法や空気層を設ける方法である。
【発明の開示】
【発明が解決しようとする課題】
【０００３】  しかしながら、以上の技術によれば、材料厚さを厚くしたり、空気層を設けたりすることで、製作者の労力と製作時間が増加し、それによって、製作コストが上昇する。【０００４】  そこで、この発明は、簡単に多孔質型吸音材料の吸音性能を向上させる制作方法を提供することを課題とする。
【課題を解決するための手段】
【０００５】  以上の課題を解決するために、第一発明は、合成ゴム系樹脂を多孔質型吸音材料の音波入射側表面に、エアスプレー法により塗布したことを特徴とする吸音材料である。【０００６】  また、第二発明は、多孔質型吸音材料の吸音性能を向上させるために、エアスプレー法により合成ゴム系樹脂を材料の音波入射側表面に塗布することを特徴とする吸音材料の製作方法である。
【発明の効果】
【０００７】  第一発明、または第二発明によれば、従来の多孔質型吸音材料の吸音性能を向上させることが可能となる。
【発明を実施するための最良の形態】
【０００８】  この発明の一実施形態を、図１に示す。
多孔質型吸音材料の音波入射側表面に、合成ゴム系樹脂が付着している。【０００９】  図２に示すように、この実施形態によれば、特別に高い技術を用いることなく、誰にでも簡単に、吸音性能を向上させることができる。
【図面の簡単な説明】
【００１０】
【図１】  この発明の一実施形態を示す斜視図。
【図２】  従来の方法とこの発明の方法を用いた材料の垂直吸音率グラフ。
【図１】
2009042710.tif 000003
【図２】
2009042710.tif 000004
(57)【要約】      （修正有）【課題】家電製品の名前がすぐわかるように、手軽におしゃれに、その名札を付けるクリップを提供する。【解決手段】ダブルクリップやサイドレバーのダブルクリップ１のうでや、本体内側に名札２を取り付け、その名札付きクリップで家電製品の電源コードを挟み付ける。【選択図】図１
2009042707.tif 000002
【特許請求の範囲】
【請求項１】
ダブルクリップおよびサイドレバーのダブルクリップの１つのうでに、名札を取り付けた名札付きダブルクリップ。
【請求項２】
ダブルクリップおよびサイドレバーのダブルクリップの本体内側に、名札を取り付けた名札付きダブルクリップ。
【請求項３】
ものに挟み付けたのち、２つのうでを抜き取った、請求項２の名札付きダブルクリップ。
【発明の詳細な説明】
【技術分野】
【０００１】  この発明は、家庭で氾濫する家電製品の電源コードを、すぐに識別できるようにするために付ける、名札クリップに関するものである。
【背景技術】
【０００２】  従来、家電製品の電源コードに付ける名札は、なかった。専門業者の電気工事の際には、コードを識別するために、小さな楕円形の名札をひもで取り付けるものがある。事務用品としては、見出しのついたサイドレバーのダブルクリップが市販されている。【０００３】
【特許文献１】  特許公開２００１−５４９９６号公報
【非特許文献１】  インターネット  見積もり．ｃｏｍ  ｗｗｗ．ｍｉｔｕｍｏｒｉ．ｃｏｍ  サンスター見出し付きダブルクリップ  サイドレバーＭ
【発明の開示】
【発明が解決しようとする課題】
【０００４】  家庭では家電製品の電源コードが氾濫し、しかも電源コードの殆どが同じ太さで色も黒色なので、とても見分けにくい。そこで、たくさんある電源コードをすぐに識別できるようにする。
【課題を解決するための手段】
【０００５】  名札をダブルクリップまたはサイドレバーのダブルクリップの、うでまたは本体内側に取り付け、家電製品の電源コードに挟み付け、個々の製品名を瞬時に識別できるようにする。
【発明の効果】
【０００６】  電源コードにコンパクトに付けられた名札を見ると、すぐにその家電製品の名前が識別でき、今までのように一回ずつコンセントに電源コードを差し込んで、判別する必要がなくてすむ。
【発明を実施するための最良の形態】
【０００７】  名札は、縦５ｃｍ、横２ｃｍぐらいの大きさのものを用意する。裏表ともに家電製品名を書けるようにする。そして、挟口寸法１５ｍｍのサイドレバーのダブルクリップの１つの取っ手に、小さな穴のあいた前記名札を金属の輪を使って、取り付ける。この名札付きクリップを家電製品の電源コードの、コンセント差込口から１５ｃｍ付近に挟み付ける。すると、名札が邪魔にならず使いやすく、おしゃれに家電製品名を表示することができる。【０００８】  他の実施例として、挟口寸法１５ｍｍのダブルクリップやサイドレバーのダブルクリップの本体内側に縦５ｃｍ、横２ｃｍぐらいの大きさの名札を接着剤などで取り付ける方法もある。この方法で作った名札付きクリップを家電製品の電源コードに挟み付けてから、ダブルクリップやサイドレバーのダブルクリップのうでを折り畳むと、名札と電源コードがしっかりと固定され見やすい。
この時、ダブルクリップの２つのうでを抜き取ると、さらにコンパクトになる。【０００９】  電源コードが太めの時には、ダブルクリップやサイドレバーのダブルクリップの挟口寸法が、１９ｍｍや２５ｍｍの適当な大きさのものを選んで使う。もし、これらで電源コードを挟み付けてゆるい場合は、ダブルクリップやサイドレバーのダブルクリップの本体の内側にゴムやフェルトなどのクッションになるものを貼り付けて調整する。
【図面の簡単な説明】
【００１０】
【図１】  サイドレバーのダブルクリップのうでに名札を付けた本発明の斜視図。
【図２】  サイドレバーのダブルクリップのうでに名札を付けた本発明の使用時の斜視図。
【図３】  サイドレバーのダブルクリップ本体内側に名札を付けた本発明の斜視図
【図４】  ダブルクリップの本体内側に名札を付けた本発明の使用時の斜視図。
【図５】  ２つのうでを抜き取ったダブルクリップの本体内側に名札を付けた本発明の使用時の斜視図。
【符号の説明】
【００１１】  １  サイドレバーのダブルクリップ
２  名札
３  金属の輪
４  電源コード
５  名札
６  ダブルクリップ
７  電源コード
８  ダブルクリップのうで
９  ダブルクリップから、そのうで８を２つ抜き取った本体
【図１】
2009042707.tif 000003
【図２】
2009042707.tif 000004
【図３】
2009042707.tif 000005
【図４】
2009042707.tif 000006
【図５】
2009042707.tif 000007